(57)【要約】【課題】  実歩行ピッチと目標歩行ピッチとのずれ具合をスピーカーや表示パネルでアナウンス情報を報知することなく、利用者に当該ずれ具合を簡単且つ確実に知らせること。【解決手段】  スタートした後の目標ピッチ音が停止する（１０５）と、電子歩数計は実歩行ピッチを演算し（１０６）、実歩行ピッチが目標ピッチの許容範囲か否かを判定し（１０７）、ＮＯならば目標ピッチ音を発生させ（１０８）、一定時間経過する（１０９）と目標ピッチ音を停止する（１１０）。ステップ１０７の判定がＹＥＳならば、電子歩数計は終了命令が入力されたか否かを判定し（１１１）、ＹＥＳならば歩数測定部の電源をオフにする（１１２）。ステップ１０７の判定がＮＯならばステップ１０６に戻り、以下上述の処理を繰り返す。【選択図】  図２
2008206615.tif 000002
【特許請求の範囲】
【請求項１】
実歩行数を測定する実歩行数測定手段と、
前記実歩行数に基づいて実歩行ピッチを演算する実歩行ピッチ演算手段と、
目標ピッチを設定する目標ピッチ設定手段と、
前記実歩行ピッチと前記目標ピッチのピッチ差を算出するピッチ差演算手段と、
前記ピッチ差が許容範囲を超えた場合に目標ピッチ音を発生させる目標ピッチ音発生手段とで構成された電子歩数計。
【請求項２】
前記目標ピッチの許容範囲は、上限値と下限値の２つを設定して行うものであることを特徴とする請求項１記載の電子歩数計。
【請求項３】
前記目標ピッチの許容範囲は、中央値と差分若しくは比率を設定して行うものであることを特徴とする請求項１記載の電子歩数計。
【請求項４】
前記目標ピッチの報音は、一定時間行われるものであることを特徴とする請求項１記載の電子歩数計。
【請求項５】
前記目標ピッチの報音は、一定回数行われるものであることを特徴とする請求項１記載の電子歩数計。
【請求項６】
前記目標ピッチの報音は、前記ピッチ差が許容範囲に達するまで行われるものであることを特徴とする請求項１記載の電子歩数計。
【請求項７】
複数個の目標ピッチが設定可能であることを特徴とする請求項１乃至６のいずれかに記載の電子歩数計。
【発明の詳細な説明】
【技術分野】
【０００１】
本発明は、目標ピッチ音を発生する電子歩数計に関する。
【背景技術】
【０００２】
特開昭５７−１６１６８５号公報（特許文献１）に記載されている報音装置は、テンポの異なる複数のペース信号を発生するペース信号発生手段と、上記複数のペース信号のうち所望のペース信号を選択する選択データを複数記憶するペース選択データ記憶手段と、このペース選択データ記憶手段の１つをスイッチ操作により指定する指定手段とを具備し、上記指定手段により選択指定されたペース選択データ記憶手段の選択データに従って上記ペース信号発生手段から初手有為のペース信号音を発生させることを特徴とする報音装置である。しかしながら、この報音装置はピッチ音を常時報音するものであるから、利用者以外の人にもピッチ音が聞こえるので使用場所が限定されるという問題と、電池寿命が短くなるという問題があった。
そこで、特開２００３−１８５４６７号公報（特許文献２）記載されているピッチ発生機能付き歩数計が開発された。この歩数計は、目標歩行ピッチを指示するための目標ピッチ音を発生する目標ピッチ発生手段と、実歩行ピッチを測定する歩行ピッチ測定手段と、前記目標ピッチ発生手段による目標ピッチ音の発生が所定時間終えた後の前記歩行ピッチ測定手段で測定された実歩行ピッチと前記目標ピッチとのずれ具合に基づきアナウンス情報を判定するすれ具合判定手段と、前記ずれ具合判定手段で判定されたアナウンス情報を報知するずれ具合報知手段とを備えたものである。従って、この従来の歩数計は報音時間が必要最小限となり、消費電流も抑制されるので、上述の報音装置が有する問題を解消するものである。
上記従来の歩数計の利用者は、自己の身体パラメータに適合した目標ピッチ音により目標歩行ピッチを認識して体得し、目標ピッチ音の発生が止まった後も継続して歩行することができるので、耳障りとなるような煩わしさがなく測定できるものである。また、基準外となる実歩行ピッチが除外された実歩行ピッチと目標歩行ピッチとに生じたずれ具合に応じてアナウンス情報が報知されるので、歩行状態の良否を知ることができ、利用者は歩行ペースの修正ができるものである。
ところで、上記従来の歩数計が報知るアナウンス情報は、「とても遅いペースです。」「遅いペースです。」「すこし遅いペースです。」「とても速いペースです。」「速いペースです。」「すこし速いペースです。」「ペースが安定していません。」「合格おめでとう。」などのアナログ的情報である。このため、例えば「とても遅いペースです。」とのアナウンスを聞いた利用者は、どの程度ペースダウンすればよいのかを直感できないという問題がある。また、例えば最初の３０分間は第１の目標ペース、次の３０分間は第２の歩行ペースと２種類の歩行ペースの歩行運動を行う利用者にとって、ペースが異なってもアナウンス情報は同じアナログ的なものであるので、目標ペースとのずれを体感的に理解できないと言う問題がある。更に、これらアナウンスはスピーカーを含む複数の報音手段を備えるので、製造コストが高くなるという問題もある。
【特許文献１】特開昭５７−１６１６８５号公報
【特許文献２】特開２００３−１８５４６７号公報
【発明の開示】
【発明が解決しようとする課題】
【０００３】
本発明が解決しようとする課題は、ピッチ発生機能付き歩数計において、実歩行ピッチが目標歩行ピッチからずれた場合に、ずれ具合をスピーカーや表示パネルでアナログ的なアナウンス情報を報知することなく、利用者に当該ずれ具合を簡単且つ確実に知らせることである。
【課題を解決するための手段】
【０００４】
上記課題を解決する電子歩数計を、実歩行数を測定する実歩行数測定手段と、前記実歩行数に基づいて実歩行ピッチを演算する実歩行ピッチ演算手段と、目標ピッチを設定する目標ピッチ設定手段と、前記実歩行ピッチと前記目標ピッチのピッチ差を算出するピッチ差演算手段と、前記ピッチ差が許容範囲を超えた場合に目標ピッチ音を発生させる目標ピッチ音発生手段とで構成した。
【発明の効果】
【０００５】
本発明に係る電子歩数計は、歩行運動開始からの一定時間若しくは一定回数、及び、目標歩行ピッチからずれた場合の一定時間若しくは一定回数、目標ピッチ音を発生させるものであるので、利用者は目標ピッチ音に歩行ペースを合わせるだけでよく、従って体感的に歩行ペースを容易に補正できる。
また、本発明に係る電子歩数計は、１回の歩行運動において時間間隔や累積歩数で変更するように複数段階の目標ピッチを設定できるものである。従って、このように目標ピッチを設定した本発明に係る電子歩数計は、歩行運動開始からの一定時間若しくは一定回数、目標ピッチ変更時から一定時間若しくは一定回数、及び、目標歩行ピッチからずれた場合の一定時間若しくは一定回数、目標ピッチ音を発生させるものであるので、目標ピッチの変更の前後において、利用者は目標ピッチ音に歩行ペースを合わせるだけでよく、従って体感的に歩行ペースを容易に補正できる。
更に、本発明に係る電子歩数計は、スピーカーによる音声報知やＬＣＤ表示パネルによる画面表示を行うものではないので、構成が簡単となり製造コストの削減を図れる。
【発明を実施するための最良の形態】
【０００６】
【実施例１】
【０００７】
本発明の実施例１の電子歩数計１０は、図１に示す如く、実歩行ピッチの演算や実歩行ピッチが目標ピッチの許容範囲にあるか否かの判定などを行うＣＰＵの如き制御部１１、計時部１２、演算制御プログラムと各種データが記憶された記憶部１３、目標ピッチなどの各種の設定や操作を行う入力部１４、ＬＣＤなどの表示部１５、ピッチ音を発生する報音部１６を含む。前記各種データには、入力部１４から制御部１１に入力された目標ピッチと目標ピッチの許容範囲を設定する上限値と下限値が含まれる。
実歩行ピッチの演算に使われる実歩行数は、歩行センサ１７で検出された歩行信号を歩数測定部１８で処理して、制御部１１に入力される。歩行センサ１７は加速度センサなどのセンサである。歩数測定部１８は、歩行センサ１７のセンサ信号を増幅する増幅回路と前記増幅回路のアナログ出力信号をデジタル出力信号に変換するアナログ・デジタル変換回路を含む。制御部１１と歩数測定部１８には、電池電源部１９から電力が供給される。電源スイッチ２０は、歩数検出回路１８と電池電源部１９の間に挿入され、制御部１１から制御されてオン・オフ切り替えされる。
【０００８】
電子歩数計１０は、利用者が入力部１４のスタートボタンを操作する（１０１）と、電源スイッチ２０が切替えられ歩数測定部１８がオンとなり（１０２）、目標ピッチ音を発生させ（１０３）、発生から一定時間経過する（１０４）と目標ピッチ音を停止する（１０５）。目標ピッチ音が停止すると、電子歩数計は実歩行ピッチＰを求める（１０６）。実歩行ピッチＰはＰ＝Ｎ／Ｔの演算を行って求められる。但し、Ｎは実歩数、Ｔは所要時間である。
ステップ１０６に続いて、電子歩数計１０は、実歩行ピッチＰが目標ピッチＰMの許容範囲内か否かを判定する（１０７）。即ち、電子歩数計１０は、ＰL≦Ｐ≦ＰHであれば実歩行ピッチＰが目標ピッチＰMの許容範囲にあると判定し、ＰL>Ｐである場合とＰ>ＰH である場合には実歩行ピッチＰが目標ピッチＰMの許容範囲外であると判定する。但し、ＰHは許容範囲の上限値、ＰLは許容範囲の下限値である。なお、目標ピッチＰMの許容範囲は、上限値ＰHと下限値ＰLで設定しないで、中央値と差分若しくは比率を設定して行うことも可能である。
ステップ１０７の判定結果がＹＥＳならば、実歩行ピッチＰが目標ピッチＰｍの許容範囲内であるから、ステップ１１１に進む。ステップ１０７の判定結果がＮＯならば、実歩行ピッチＰが目標ピッチＰｍの許容範囲からずれているから、目標ピッチ音を発生させ（１０８）、発生から一定時間経過する（１０９）と目標ピッチ音を停止し（１１０）、処理の流れはステップ１１１に進む。
【０００９】
ステップ１１１において、電子歩数計１０は終了命令が入力されたか否かを判定し、ＹＥＳならば歩数測定部１８の電源スイッチ２０をオフにする（１１２）。ステップ１１１の判定がＮＯならば、処理の流れはステップ１０６に戻り、上述の処理を繰り返す。
【実施例２】
【００１０】
本発明の実施例２の電子歩数計１０は、第１目標ピッチＰM1と第２目標ピッチＰM2が設定される電子歩数計であり、そのブロック回路図は図１に示す実施例１と同じである。実施例２の電子歩数計において、利用者が入力部１４から制御部１１に入力した複数の目標ピッチとその許容範囲を規定するデータ、及び各目標ピッチでの走行目標時間は、記憶部１３に記憶する。
【００１１】
本発明の実施例２の電子歩数計は、利用者が入力部１４のスタートボタンを操作する（２０１）と、電源スイッチ２０が切替えられ歩数測定部１８がオンとなり（２０２）、第１目標ピッチ音を発生させ（２０３）、発生から一定時間経過する（２０４）と第１目標ピッチ音を停止する（２０５）。第１目標ピッチ音が停止すると、電子歩数計１０は実歩行ピッチＰを求める（２０６）。実歩行ピッチＰはＰ＝Ｎ／Ｔの演算を行って求められる。但し、Ｎは実歩数、Ｔは所要時間である。
ステップ２０６に続いて、電子歩数計１０は、実歩行ピッチＰが第１目標ピッチＰM1の許容範囲内か否かを判定する（２０７）。即ち、電子歩数計１０は、ＰL1≦Ｐ≦ＰH1であれば実歩行ピッチＰが第１目標ピッチＰM1の許容範囲にあると判定し、ＰL1>Ｐである場合とＰ>ＰH1 である場合には、実歩行ピッチＰが第１目標ピッチＰM1の許容範囲外であると判定する。但し、ＰH1は許容範囲の上限値、ＰL1は許容範囲の下限値である。なお、第１目標ピッチＰM1の許容範囲は、上限値ＰH1と下限値ＰL1で設定しないで、中央値と差分若しくは比率を設定して行うことも可能である。
ステップ２０７の判定結果がＹＥＳならば、実歩行ピッチＰが第１目標ピッチＰM1の許容範囲内であるから、ステップ２１１に進む。ステップ２０７の判定結果がＮＯならば、実歩行ピッチＰが第１目標ピッチＰM1の許容範囲外であるから、第１目標ピッチ音を発生させ（２０８）、発生から一定時間経過する（２０９）と第１目標ピッチ音を停止し（２１０）、処理の流れはステップ２１１に進む。
【００１２】
ステップ２１１において、電子歩数計１０は終了命令が入力されたか否かを判定し、ＹＥＳならば歩数測定部の電源をオフにする（２２４）。
ステップ２１１の判定がＮＯならば、電子歩数計１０は、第１目標ピッチでの歩行運動の目標時間に到達したか否かを判定（２１２）し、ＹＥＳならばステップ２１３に進む。ステップ２１２の判定がＮＯならば、処理の流れはステップ２０６に戻り、上述の処理を繰り返す。
【００１３】
ステップ２１３において、電子歩数計１０は目標ピッチを第１目標ピッチから第２目標ピッチに変更する。続いて、電子歩数計１０は、第２目標ピッチ音を発生させ（２１４）、発生から一定時間経過する（２１５）と第２目標ピッチ音を停止する（２１６）。第２目標ピッチ音が停止すると、電子歩数計１０は実歩行ピッチを求める（２１７）。実歩行ピッチＰはＰ＝Ｎ／Ｔの演算を行って求められる。但し、Ｎは実歩数、Ｔは所要時間である。
ステップ２１７に続いて、電子歩数計１０は、実歩行ピッチＰが第２目標ピッチＰM2の許容範囲内か否かを判定する（２１８）。即ち、電子歩数計１０は、ＰL2≦Ｐ≦ＰH2であれば実歩行ピッチＰが第２目標ピッチＰM2の許容範囲にあると判定し、ＰL2>Ｐである場合とＰ>ＰH2 である場合には、実歩行ピッチＰが第２目標ピッチＰM2の許容範囲外であると判定する。但し、ＰH2は許容範囲の上限値、ＰL2は許容範囲の下限値である。なお、第２目標ピッチＰM2の許容範囲は、上限値ＰH2と下限値ＰL2で設定しないで、中央値と差分若しくは比率を設定して行うことも可能である。
ステップ２１８の判定結果がＹＥＳならば、実歩行ピッチＰが第２目標ピッチＰM2の許容範囲内であるから、ステップ２２２に進む。ステップ２１８の判定結果がＮＯならば、実歩行ピッチＰが第２目標ピッチＰM2の許容範囲外であるから、第２目標ピッチ音を発生させ（２１９）、発生から一定時間経過する（２２０）と第２目標ピッチ音を停止し（２２１）、処理の流れはステップ２２２に進む。
【００１４】
ステップ２２２において、電子歩数計１０は、終了命令が入力されたか否かを判定し、ＹＥＳならば歩数測定部の電源をオフにする（２２４）。
ステップ２２２の判定がＮＯならば、電子歩数計１０は、第２目標ピッチでの歩行運動の目標時間に到達したか否かを判定（２２３）し、ＹＥＳならば歩数測定部１８の電源スイッチ２０をオフにする（２２４）。ステップ２２３の判定がＮＯならば、処理の流れはステップ２１７に戻り、上述の処理を繰り返す。
【図面の簡単な説明】
【００１５】
【図１】本発明の実施例１と実施例２の電子式歩数計のブロック回路図である。
【図２】本発明の実施例１の処理の流れを示すフローチャートである。
【図３】本発明の実施例２の処理の流れを示すフローチャートである。
【符号の説明】
【００１６】
１０  電子歩数計
１１  制御部
１２  計時部
１３  記憶部
１４  入力部
１５  報音部
１６  表示部
１７  歩行センサ
１８  歩数測定部
１９  電池電源部
２０  電源スイッチ
【図１】
2008206615.tif 000003
【図２】
2008206615.tif 000004
【図３】
2008206615.tif 000005